(57)【要約】【課題】絶縁性、密閉されたシール性に優れると共に小型・コンパクト化を図った温度調節用ヒータを提供する。【解決手段】両端の端子３ａ，３ｂにリード線９，１１が接続された抵抗３を、前記両端の端子３ａ，３ｂを含めて抵抗全体を被覆する絶縁性の内側被覆材１５と、その内側被覆材１５全体を覆う外側被覆材１７とにより二重の被覆構造とする一方、前記リード線９，１１を外部へ延長させた状態で前記外側被覆材１７の両端を密閉シール２１，２１したことを特徴とする。【選択図】図１
2007115546.tif 000002
【特許請求の範囲】
【請求項１】
両端の端子にリード線が接続された抵抗を、前記両端の端子を含めて抵抗全体を被覆する絶縁性の内側被覆材と、その内側被覆材全体を覆う外側被覆材とにより二重の被覆構造とする一方、前記リード線を外部へ延長させた状態で前記外側被覆材の両端を密閉シールしたことを特徴とする温度調節用ヒータ。
【請求項２】
前記抵抗は、複数接続されると共に外側被覆材内において並列配置されていることを特徴とする請求項１記載の温度調節用ヒータ。
【請求項３】
前記内側被覆材と外側被覆材は、抵抗の表面に印字された抵抗値が見える透明又は半透明の材質となっていることを特徴とする請求項１記載の温度調節用ヒータ。
【請求項４】
前記内側被覆材は耐熱性のシリコンゴム，外側被覆材は熱溶着性の塩化ビニールの材質となっていることを特徴とする請求項１又は３記載の温度調節用ヒータ。
【請求項５】
前記外側被覆材は、全周面にわたってアルミ箔が巻かれていることを特徴とする請求項１、２、３、４記載の温度調節用ヒータ。
【発明の詳細な説明】
【技術分野】
【０００１】
本発明は、高い湿度及び水分の多い場所で使用するのに適する温度調節用ヒータに関する。
【背景技術】
【０００２】
一般に高い湿度や水分の多い場所で使用する温度調節用ヒータとしては、例えば、図６に示すようにアルミ箔１０１にコードヒータ１０３を貼付け、ヒータ端子１０５とリード線１０７の接続領域を塩化ビニールチューブ１０９で密閉シールし、接続領域に水侵入が起きないようになっている。
【０００３】
コードヒータ１０３は、図７に示すようにガラス芯側１１１にニクロム線等の抵抗線１１３を螺旋状に巻いた形状で、その外周は内側と外側の２層の被覆材１１５、１１７により被覆された構造となっている。その使用例として例えば、冷蔵庫がある。
【特許文献１】特開平１１−１４２０４５号公報
【発明の開示】
【発明が解決しようとする課題】
【０００４】
温度調節用ヒータは、コードヒータ１０３がアルミ箔１０１に貼付けられた面状ヒータとなるところから、使用場所によってその専有スペースを例えば、二点鎖線で示すように今までの半分、あるいは３分の１に小さくしたい要望がある。加えて、１００Ｖで、例えば、２Ｗ程度の低出力の発熱量で、かつ、全長５００ｍｍのヒータ線を作ろうとすると、１ｍ当たり１００００Ωの抵抗線が必要となる。これを達成するには単位抵抗を大きくする必要があるが、そのためには、細い線を大きく密に巻き、長くすることになる。具体的には例えば、φ０．０５ｍｍ以下の細い抵抗線を使用し、しかも、ガラス芯の外径を大きくφ１以上で密に巻く必要がある。このために、単位抵抗を大きくするには物理的に限度があり、次のような問題をかかえる。
【０００５】
°細い線を採用するので断線しやすい。
°密に巻くのでピッチ間で短絡しやすく作業に神経を使う。
°ガラス芯の外径が大きくなるので、コードヒータとしての加工性が悪くなる。
°端末加工がしづらくなり信頼性も悪くなる。
そこで、本発明にあっては、前記問題点の解消を図った新たな温度調節用ヒータを提供することを目的としている。
【課題を解決するための手段】
【０００６】
前記目的を達成するために、本発明にあっては、両端の端子にリード線が接続された抵抗を、前記両端の端子を含めて抵抗全体を被覆する絶縁性の内側被覆材と、その内側被覆材全体を覆う外側被覆材とにより二重の被覆構造とする一方、前記リード線を外部へ延長させた状態で前記外側被覆材の両端を密閉シールしたことを特徴とする。
【発明の効果】
【０００７】
本発明によれば、抵抗を用いてヒータとするため、小型、コンパクトに作ることができる。また、抵抗全体は内側被覆材と外側被覆材とによる二重の被覆構造により絶縁が確保された状態で密閉シールすることができるため、高い湿度や水分の多い場所でも使用場所に限定されることなく設置することができる。
【発明を実施するための最良の形態】
【０００８】
本発明にあっては第１に、前記抵抗を、複数接続すると共に外側被覆材内において並列配置することで小型、コンパクト化を可能とする一方、各抵抗の抵抗値を選択することで幅広い出力のヒータが得られるようにする。
【０００９】
第２に、前記内側被覆材と外側被覆材を、抵抗の表面に印字された抵抗値が見える透明又は半透明の材質とし、外から使用する抵抗値の確認を容易にする。
【００１０】
第３に、前記内側被覆材を耐熱性のシリコンゴム，外側被覆材を熱溶着性の塩化ビニールの材質とすることで、内側被覆材の滑り性を確保し、内側被覆材を外側被覆材内へ挿入する挿入作業を容易にする一方、塩化ビニールによる熱溶着によって確実な密閉シールを確保する。
【００１１】
第４に、前記外側被覆材に、全周面にわたってアルミ箔を巻き付けることで、アルミ箔を介して周面状の均一な熱伝導を確保する。
【実施例】
【００１２】
以下、図１乃至図５の図面を参照しながら本発明の実施形態について具体的に説明する。
【００１３】
図１は本発明にかかる温度調節用ヒータの概要切断説明図を示している。
【００１４】
温度調節用ヒータ１は、並列配置された第１の抵抗３と第２の抵抗５を有している。並列配置された第１、第２の抵抗３，５は、この実施の形態では、例えば、２〜４Ｗ程度の低出力の発熱量を得るために抵抗値が１２ｋΩのものを使用している。
【００１５】
第１、第２の抵抗３，５の一方の各端子３ａ，５ａはビニール等の被覆材により被覆されたＵ字状のリード線７により接続された直列接続となっている。
【００１６】
したがって、前記抵抗値とは異なる抵抗値のものを選択したり、あるいは、各抵抗３，５の数を増やすことで幅広い発熱量の確保が可能となる。
【００１７】
また、第１、第２の抵抗３，５の他方の各端子３ｂ，５ｂは、ビニール等の被覆材により被覆された２本のリード線９，１１と接続している。リード線９，１１は平行に延長され、その延長端は接続コネクタ１３と接続し、接続コネクタ１３を介して第１、第２の抵抗３，５に電力が供給されるようになっている。
【００１８】
第１の抵抗３と第２の抵抗５は、絶縁性の内側被覆材１５と外側被覆材１７の二重の被覆構造によって被覆されている。
【００１９】
内側被覆材１５は、耐熱性及び滑り性に優れた透明又は半透明のシリコンゴムで作られたチューブ状の形状となっていて、各両端子３ａ，３ｂ，５ａ，５ｂの接続部Ｐを含めて抵抗全体がそれぞれ独立して被覆されている。この場合、各リード線７，９，１１にかかる被覆領域ｄは各端子３ａ，３ｂ，５ａ，５ｂ及び接続部Ｐが露出しない３ｍｍ以上であることが望ましい。
【００２０】
一方、外側被覆材１７は、熱溶着性に優れた透明又は半透明の塩化ビニールで作られた楕円のチューブ状の形状となっている。外側被覆材１７の内部には前記内側被覆材１５を含む各抵抗３，５が挿入配置され、前記接続コネクタ１３に続くリード線９，１１を外部へ延長させた状態において外側被覆材１７の両端が熱溶着２１，２１により密閉シールされている。これにより、リード線９，１１を介して内部への水侵入が確実に阻止されるようになっている。
【００２１】
このように構成された温度調節用ヒータ１によれば、内側被覆材１５がシリコンゴムでできているため、外側被覆材１７の内部へ挿入セットする時に、その滑り性により迅速容易に挿入作業が完了し、作業性の面で大変好ましいものとなる。また、作業終了後、各抵抗３，５の抵抗値を外からの目視によって確認することが可能となる。
【００２２】
また、抵抗３，５を用いてヒータとするため、縦ｈ・横Ｌの外径寸法が小さくて済むようになり、小型・コンパクトに作れる。また、第１、第２の抵抗３，５は、抵抗値の選択あるいは、さらに組合せることで、幅広い仕様のヒータが得られる一方、内側被覆材１５と外側被覆材１７による二重の被覆構造により、確実な絶縁性に加えて、両端が密閉シールされているため、高い湿度や水分の多い場所での使用が可能となる。
【００２３】
したがって、例えば、図４に示すように、冷蔵庫の冷蔵室２３と野菜室２５の間に並列配置された製氷室２７と切替室２９とを仕切る、幅の狭い仕切壁３１内に、図５に示すように仕切壁３１の表面パネル３１ａの結露防止用ヒータとして使用することができる。
【００２４】
この場合、例えば図３に示すように外側被覆材１７の外周にアルミ箔３３を巻きつけることが好ましい。これにより、全周面にわたって均一な熱伝導が得られる。
【００２５】
なお、抵抗を用いる数は、単独でも複数でもよく、また、接続は直列接続，並列接続いずれであってもよい。
【図面の簡単な説明】
【００２６】
【図１】本発明にかかる温度調節用ヒータの一部切断概要説明図。
【図２】図１の断面説明図。
【図３】外側被覆材の外周にアルミ箔を巻いた温度調節用ヒータの概要説明図。
【図４】温度調節用ヒータを製氷室と切替室とを仕切る仕切壁内に実施した冷蔵庫の概要正面図。
【図５】図４のＡ−Ａ線概要断面図。
【図６】従来例を示した温度調節用ヒータの説明図。
【図７】図６のＢ部の拡大した切断概要説明図。
【符号の説明】
【００２７】
３    抵抗
３ａ，３ｂ    端子
９，１１    リード線
１５    内側被覆材
１７    外側被覆材
２１    熱溶着（密閉シール）
３３    アルミ箔
【図１】
2007115546.tif 000003
【図２】
2007115546.tif 000004
【図３】
2007115546.tif 000005
【図４】
2007115546.tif 000006
【図５】
2007115546.tif 000007
【図６】
2007115546.tif 000008
【図７】
2007115546.tif 000009